(57)【要約】【課題】所望の高さまで伸長できるとともに、高さを調整するためのパーツを節約しつつ、撮影範囲を容易に微調整することが可能な撮影補助具を提供する。【解決手段】本発明の撮影補助具１は、互いに上下方向に着脱可能な複数の部材からなる伸縮ポールと、伸縮ポールのうち最下段に配設される伸縮ポールに接続される三脚部と、伸縮ポールを周方向に回動可能に支持する回転筒とを備え、回転筒は、最下段に配設される伸縮ポールの下部に回動可能に配設される。【選択図】図１
2020027137.tif 000002
【特許請求の範囲】
【請求項１】
互いに上下方向に着脱可能な複数の部材からなる伸縮ポールと、
前記伸縮ポールのうち最下段に配設される伸縮ポールに接続される三脚部と、
前記伸縮ポールを周方向に回動可能に支持する回転筒とを備え、
前記回転筒は、前記最下段に配設される伸縮ポールの下部に回動可能に配設される、撮影補助具。
【請求項２】
前記三脚部が、撮影補助具を地面に設置する三本の脚部と、
前記三本の脚部の上端に接続され、内部に前記最下段に配設される伸縮ポールを挿通可能な筒状の部材からなるスライド部と、
前記最下段に配設される伸縮ポールの下端に接続可能な基端部と、
前記基端部を前記脚部に接続する支持脚とからなり、
前記回転筒は、前記基底部と前記最下段に配設される伸縮ポールとの間に回動可能に挿入される、請求項１に記載の撮影補助具。
【請求項３】
前記回転筒は、上方に位置する短筒部と下方に位置する長筒部とからなり、
前記短筒部と前記長筒部とは互いに回動可能に接続されており、
前記短筒部の上面と前記最下段に配設される伸縮ポールの下面とが接続され、
前記長筒部の下面と前記基端部の上面とが接続される、請求項１または２のいずれかに記載の撮影補助具。
【発明の詳細な説明】
【技術分野】
【０００１】
本発明は、撮影補助具に関し、特に、高所や足下をカメラを用いて撮影するに際し、カメラを固定するに好適な撮影補助具に関する。
【背景技術】
【０００２】
近年、いわゆるドローンと呼ばれる小型の無人航空機に関する技術が発達したことにより、人の手の届かない高所や低所の撮影が容易になりつつある。しかしながら、無線航空機を使用した撮影は高価であり、しかも、風が強い高所での撮影などにおいては、墜落の可能性もあるため、地面に設置して使用する、カメラを支持する撮影補助具を使用しての撮影の需要は顕在である。
【０００３】
そこで、高所を撮影する際に、特許文献１に示されるような撮影補助具を使用する技術が提案されている。（特許文献１）。
【先行技術文献】
【特許文献】
【０００４】
【特許文献１】特開２００７−２１９１９７号公報
【発明の概要】
【発明が解決しようとする課題】
【０００５】
特許文献１によると、所望の高さまで伸縮させた状態で、ターンテーブルを操作することにより、カメラを所望の向きに設定することができる。しかしながら、特許文献１に記載の方法では、伸長可能に形成した伸縮支柱の最上段に設置したターンテーブルを無線（又は有線）により操作するものであり、ターンテーブル自体は、モータとギアとによって駆動されるため、駆動のために複雑な機構と部材とが必要になる。そして、カメラを回動させるためのターンテーブルやモータは、装置自体を伸長させるのには寄与せず、高さを伸長させるためには、その分の部材が必要となり、全体として部材の数が多くなってしまうという課題が生じる。
【０００６】
本発明は、このような要望に鑑みてなされたものであり、所望の高さまで伸長できるとともに、高さを調整するためのパーツを節約しつつ、撮影範囲を容易に微調整することが可能な撮影補助具を提供することを目的とする。
【課題を解決するための手段】
【０００７】
本発明では、以下のような解決手段を提供する。
【０００８】
第１の特徴に係る発明は、互いに上下方向に着脱可能な複数の部材からなる伸縮ポールと、伸縮ポールのうち最下段に配設される伸縮ポールに接続される三脚部と、伸縮ポールを周方向に回動可能に支持する回転筒とを備え、回転筒は、前記最下段に配設される伸縮ポールの下部に回動可能に配設される、撮影補助具を提供する。
【０００９】
第１の特徴に係る発明によれば、回転筒が最下段に配設される伸縮ポールの下部に回動可能に配設されるため、回転筒を伸縮ポールの一部として使用することができ、そのため、伸縮ポールの部材を省略することができるとともに、伸縮ポールを回動可能に支持することが可能となる。
【００１０】
第２の特徴に係る発明は、第１の特徴に係る発明であって、さらに、三脚部が、撮影補助具を地面に設置する三本の脚部と、三本の脚部の上端に接続され、内部に最下段に配設される伸縮ポールを挿通可能な筒状の部材からなるスライド部と、最下段に配設される伸縮ポールの下端に接続可能な基端部と、基端部を脚部に接続する支持脚とからなり、回転筒は、基底部と最下段に配設される伸縮ポールとの間に回動可能に挿入される、撮影補助具を提供する。
【００１１】
第２の特徴に係る発明によれば、回転筒が基底部と最下段に配設される伸縮ポールとの間に回動可能に挿入されるため、最下段の伸縮ポールを基底部から持ち上げて回転筒を挿入するという簡単な操作で、伸縮ポールを回動可能に支持することが可能となる。
【００１２】
第３の特徴に係る発明は、第１又は第２の特徴に係る発明であって、さらに、回転筒は、上方に位置する短筒部と下方に位置する長筒部とからなり、短筒部と長筒部とは互いに回動可能に接続されており、短筒部の上面と最下段に配設される伸縮ポールの下面とが接続され、長筒部の下面と基端部の上面とが接続される、撮影補助具を提供する。
【００１３】
第３の特徴に係る発明によれば、回転筒を上方に位置する短筒部と下方に位置する長筒部とにより構成し、短筒部と長筒部とを互いに回動可能に接続しているため、簡単な構造で伸縮ポールを回動可能に支持することが可能な撮影補助具を提供できる。
【発明の効果】
【００１４】
本発明によれば、高さを調整するためのパーツを節約しつつ、撮影範囲を容易に微調整することが可能な撮影補助具を提供できる。
【図面の簡単な説明】
【００１５】
【図１】図１は、第一実施形態に係る撮影補助具１の正面図を示す。
【図２Ａ】図２Ａは、第一実施形態に係る撮影補助具１の回転筒４０を説明する図である。
【図２Ｂ】図２Ｂは、回転筒４０を構成する短筒部４１の平面図を示す図である。
【図３】図３は、第二実施形態に係る撮影補助具１の正面図を示す。
【発明を実施するための形態】
【００１６】
以下、本発明を実施するための形態について図を参照しながら説明する。なお、これはあくまでも一例であって、本発明の技術的範囲はこれに限られるものではない。
【００１７】
［第一実施形態に係る撮影補助具１の構成］
図１は、第一実施形態に係る撮影補助具１の全体構成を示す正面図である。
【００１８】
撮影補助具１は、カメラを固定する雲台１０と、複数の部材からなる伸縮ポールＰ１、Ｐ２・・・Ｐｎと、カメラを回動させるためのハンドル２０と、三脚部３０と、回転筒４０とを備える。
【００１９】
〔伸縮ポールＰ１、Ｐ２、・・・、Ｐｎ〕
伸縮ポールＰ１、Ｐ２、・・・、Ｐｎは、撮影補助具１を伸縮させるための部材であり、各伸縮ポール同士は互いに上下方向に着脱自在に構成されている。それぞれの伸縮ポールはグリップ部とポール部とからなり、伸縮ポール同士を接続させる際に、一方の伸縮部材のポール部を、他方の伸縮ポールのグリップ部に挿入し、固定手段によって固定することが可能である。
【００２０】
最下段の伸縮ポールＰ１のグリップ部に伸縮ポールＰ２のポール部を挿入し、固定手段によって固定することで、伸縮ポールＰ１とＰ２とを接続する。同様にして、下方の伸縮ポールから上方の伸縮ポールに向けて順次接続し、最上段の伸縮ポールＰｎに至る。そして、最上段の伸縮ポールＰｎのグリップ部に、さらに最上段のポール部が固定される。
【００２１】
上記のように伸縮ポールを構成することにより、接続する伸縮ポールの本数によって撮影補助具の長さを調整することが可能となる。
【００２２】
なお、伸縮ポールのポール部をグリップ部に挿入して固定するための固定手段としては、グリップ部を回動させることにより締め付けて固定するものや、ロック機構により固定させるものなど、周知の手段を用いることができる。
【００２３】
〔雲台１０〕
雲台１０は、複数の伸縮ポールのうち、最上段のポール部のさらに上段に接続される部材であり、カメラを固定するための台座としての機能を有する部材である。
【００２４】
なお、この雲台１０を省略し、伸縮ポールの最上段を構成するパーツに、カメラを固定するための機能を持たせてもよい。
【００２５】
〔ハンドル２０〕
ハンドル２０は撮影補助具１に設置したカメラを回動させるための部材であり、複数の伸縮ポールのうち一の伸縮ポールのポール部に固定することができる。ハンドル２０を伸縮ポールに固定することにより、ハンドル２０と伸縮ポールとが一体となって回動することが可能となるため、ハンドル２０を回動させることにより、カメラを伸縮ポールごと回動させることができ、それにより、撮影範囲の調整をすることができる。
【００２６】
なお、ハンドル２０を伸縮ポールに固定するための手段としては、ロック機構を使用して着脱するものなど、周知の手段が使用される。そして、伸縮ポールＰ１、Ｐ２、・・・、Ｐｎのポール部は、それぞれ、同径の部材によって構成されるため、ハンドル２０は、いずれの伸縮ポールのポール部にも固定することができる。したがって、ハンドル２０を固定する高さに自由度があり、使用する者の姿勢や撮影する被写体の状況に応じてハンドル２０を設置する高さを変えることができ、使い勝手の良い撮影補助具１を実現することができる。
【００２７】
〔三脚部３０〕
三脚部３０は、撮影補助具１を地面に設置するための部材であり、三本の脚からなる脚部３１、スライド部３２、基底部３３、支持脚３４によって構成される。スライド部３２は、三本の脚部３１の上端に接続される、筒状の形状を有する部材であり、筒の内部に最下段の伸縮ポールＰ１のポール部が挿通するようになっている。スライド部３２にはネジ３２ｓが設けられており、ネジ３２ｓを締めることにより、スライド部３２内を挿通する伸縮ポールＰ１のポール部を締め付け、スライド部３２に対して伸縮ポールＰ１を固定することができるとともに、ネジ３２ｓを緩めることにより、スライド部３２に対して伸縮ポールＰ１を可動状態とすることができる。また、基底部３３にはネジ３３ｓが設けられており、ネジ３３ｓが締まっている状態でネジ３２ｓを緩めることにより、脚部３１の開閉状態を切り替えることができる。
【００２８】
つまり、使用状態にない場合、三脚部３０の三本の脚部３１は閉じられているが、ネジ３３ｓが締まっている状態でネジ３２ｓを緩めることで、三脚部３０を開くことができる。そして、三脚部３０を開いた後、ネジ３２ｓを締めることで、三脚部３０を開いた状態で固定することができる。三脚部３０をこのように構成することで、撮影時補助具１を安定して設置することができるとともに、収納時にはコンパクトな形状に保持することができる。
【００２９】
支持脚３４は三本の脚からなり、それぞれの脚につき、一方が三脚部３０の脚部３１に対して回動可能に接続され、他方が基底部３３に対して回動可能に接続されている。
【００３０】
基底部３３は、最下段の伸縮ポールＰ１または回転筒４０を支持する機能、及び、支持脚３４を支持する機能を有する部材である。基底部３３は下面が平滑に形成された円柱状の部材であるが、上面に凸部が形成されていることにより、下部が筒状に形成された伸縮ポールＰ１のポール部または回転筒４０の下端を接続することができる。
【００３１】
そして、基底部３３には回転筒４０を着脱する際に使用するネジ３３ｓが設けられている。ネジ３３ｓを締めることにより、伸縮ポールＰ１のポール部または回転筒４０の下端を基底部３３に固定することができ、ネジ３３ｓを緩めることにより、取り外すことができる。
【００３２】
〔回転筒４０〕
回転筒４０は、上方に位置する短筒部４１と下方に位置する長筒部４２とによって構成され、伸縮ポールＰ１、・・・Ｐｎを基底部３３に対して周方向に回動可能とするための部材であり、最下段の伸縮ポールＰ１と基底部３３との間に挿入される。
【００３３】
図２Ａ及び図２Ｂを用いて、回転筒４０について詳細に説明する。図２Ａは回転筒４０の全体を示す図であり、図２Ｂは回転筒４０を構成する短筒部４１の平面図を示す。
【００３４】
図２Ａに示すように、回転筒４０は、上方に位置する短筒部４１と下方に位置する長筒部４２の、実質的に同じ直径を有する二つの筒状部材からなり、短筒部４１の下部が長筒部４２の上部に挿入されるようになっている。具体的には、短筒部４１の下部に直径が短い円柱状の凸部４１ｔを形成し、また、長筒部４２の上部の肉厚を短筒部４１の凸部４１ｔを受け入れることができるよう設定することで、短筒部４１の凸部４１ｔを長筒部４２の上部に挿入できるようになっている。
【００３５】
図２Ａ及び図２Ｂに示すように、短筒部４１の上部には、最下段に位置する伸縮ポールＰ１のポール部の下端を受け入れることができるよう、溝４１ｍが形成されている。つまり、短筒部４１の径は伸縮ポールのポール部の径よりもやや大きく設定されており、短筒部４１の上端に形成した溝４１ｍに、伸縮ポールＰ１のポール部の下端を受け入れることができるよう形成されている。
【００３６】
長筒部４２の下部は基底部３３の上面と接続できるように構成されている。具体的には、基底部３３の上面に凸部が形成されており、長筒部４２の下部の肉厚が、基底部３３の上面に形成された凸部を受容できるように設定されている。そして、長筒部４２の下部と基底部３３の上面とを接続した状態で、基底部３３のネジ３３ｓを締めることにより、長筒部４２を基底部３３に固定することができる。
【００３７】
回転筒４０をこのように構成することにより、最下段の伸縮ポールＰ１と基底部３３との間に回転筒４０を配設することができるため、回転筒４０自体の長さも、撮影補助具１を伸長するための部材として機能させることができる。また、短筒部４１と長筒部４２という二つの部材が相対的に回動可能に構成されるため、スムーズな回動動作を実現できる。特に、短筒部４１の下部に形成した凸部４１ｔが長筒部４２の上部に挿入できるようになっているため、短筒部４１と長筒部４２とが径方向にずれることなく、安定して回動できるようになっている。さらに、長筒部４２はネジ３３ｓの働きによって基底部３３に固定されているため、安定した回動動作を実現することができる。
【００３８】
回転筒４０を含む撮影補助具１を以上のように構成することで、各伸縮ポールＰ１、Ｐ２、・・・、Ｐｎを接続することで所望の長さに伸長することができるとともに、撮影補助具１に設置されたカメラをハンドル２０を用いて回動させることが可能となり、周方向の所望のポジションに容易に微調整することができる。
【００３９】
［撮影補助具１の使用方法］
以上のように構成された撮影補助具１の使用方法について、以下に述べる。使用前の状態において、撮影補助具１は、最下段の伸縮ポールＰ１及び三脚部３０が組み合わされて収納されている。このとき、三脚部３０の脚部３１は閉じられており、最下段の伸縮ポールＰ１のポール部の下端が基底部３３の上面に接続された状態で、ネジ３３ｓによって固定されている。また、撮影補助具１を構成するその他の部材、すなわち、最下段以外の伸縮ポールＰ２、Ｐ３、・・・、Ｐｎ、雲台１０、ハンドル２０及び回転筒４０については、分離された状態で保管されている。
【００４０】
撮影補助具１を使用するにあたっては、まず、三脚部３０を閉じた状態に固定しているネジ３２ｓを緩め、三脚３０を開く。このとき、ネジ３２ｓで固定されていたスライド部３２が伸縮ポールＰ１のポール部に沿ってスライド移動することで、三本の脚部３１を開くことができる。次に、基底部３３に設けられているネジ３３ｓを緩めて伸縮ポールＰ１を基底部３３から持ち上げ、基底部３３の上面に回転筒４０の長筒部４２を接続する。その際、上述したように、長筒部４２の下部と基底部３３の上面とを接続する。そして、長筒部４２の下部と基底部３３の上面とを接続した状態で、基底部３３のネジ３３ｓを締めることにより、長筒部４２を基底部３３に固定する。
【００４１】
続いて、長筒部４２の上部に短筒部４１の下部に形成された凸部４１ｔを挿入し、短筒部４１の上部に最下段の伸縮ポールＰ１のポール部を接続する。上述の通り、短筒部４１の上部には、最下段に位置する伸縮ポールＰ１のポール部の下端を受け入れることができるよう、溝４１ｍが形成されており、当該溝４１ｍに伸縮ポールＰ１のポール部の下端を嵌め込む。
【００４２】
短筒部４１の上部に形成された溝４１ｍに伸縮ポールＰ１のポール部を嵌め込むと、スライド部３２のネジ３２ｓを締めることにより、最下段の伸縮ポールＰ１を三脚３０のスライド部３２に対して固定させる。すでに締められた基底部３３のネジ３２ｓの締結力により、三脚を所望の開度に開いて固定することができるとともに、基底部３３と最下段の伸縮ポールＰ１との間に回転筒４０を配設することができる。なお、ネジ３２ｓを締めた場合、伸縮ポールは回動することができず、伸縮ポールを回動可能に支持するには、ネジ３２ｓを緩める必要がある。
【００４３】
続いて、最下部の伸縮ポールから順次、所望の数の伸縮ポールを接続することで、撮影補助具１を所望の長さまで伸長させる。その際、一の伸縮ポールのグリップ部に他の伸縮ポールのポール部を挿入し、適宜の固定手段を使用して伸縮ポール同士を接続する。
【００４４】
そして、複数接続された伸縮ポールにおける所望の高さのポール部にハンドル２０を適宜の固定手段を用いて固定する。その際、伸縮ポールのポール部は同径の部材によって構成されているため、ハンドル２０はいずれの伸縮ポールのポール部にも固定可能となっている。
【００４５】
最後に、最上段のポール部に雲台１０を固定し、雲台１０にカメラを固定することで、撮影補助具１の設置を完了する。
【００４６】
撮影補助具１に設置したカメラで撮影を行うにあたっては、ハンドル２０を回動させることにより、雲台１０に固定したカメラを伸縮ポールごと回動させることができ、所望の位置に容易に微調整することが可能となる。その際、ネジ３２ｓを緩めることにより、伸縮ポールを回動可能にすることができる。
【００４７】
以上のように構成した撮影補助具１を使用することにより、容易に所望の高さまで伸長することができるとともに、円周方向の撮影位置も微調整が可能な撮影補助具１を提供することが可能となる。
【００４８】
また、円周方向の微調整を可能にしている回転筒４０が伸縮ポールと基底部３３との間に挿入されるよう構成されているため、最下段の伸縮ポールＰ１を基底部３３から持ち上げて回転筒４０を挿入するという簡単な操作で、伸縮ポールを回動可能に支持することが可能となる。また、回転筒４０が撮影補助具１の長さを伸長させる伸縮ポールとしての機能も有しており、少ない部材数で所望の高さまで伸長させることが可能な撮影補助具１を実現することができる。
【００４９】
なお、上記においては、基底部３３の上面に凸部を形成し、長筒部４２の下部に当該凸部が挿入可能なように長筒部の肉厚を設定することで、基底部３３と長筒部４２とを接続したが、これに限ったものではない。例えば、基底部３３の上面に溝を形成し、当該溝に長筒部４２の下部が収容されるようにしてもよい。
【００５０】
また、短筒部４１の上面に溝４１ｍを形成し、当該溝４１ｍに伸縮ポールＰ１のポール部の下部が収容されるよう形成することで、短筒部４１と伸縮ポールＰ１とを接続するようにしたが、これに限ったものではない。例えば、短筒部４１の上面に凸部を形成し、伸縮ポールＰ１のポール部の下部に当該凸部が挿入可能なようにポール部の肉厚を設定するようにしてもよい。
【００５１】
また、短筒部４１と伸縮ポールＰ１のポール部との接続手段と、基端部３３と長筒部４２との接続手段とを、同じ手段により形成するようにしてもよい。このようにすることで、回転筒４０を基端部３３から取り外し伸縮ポールＰ１を基端部３３に接続する際に、特別な手段を使用することなく、ネジ３３ｓで伸縮ポールＰ１を固定することができる。
【００５２】
［第二実施形態に係る撮影補助具１の構成］
次に、図３を使用して、第二実施形態に係る撮影補助具１の構成について説明する。なお、第一実施形態に係る撮影補助具１の構成と同様の構成については説明を省略し、異なる構成についてのみ説明する。
【００５３】
図３に示す通り、第二実施形態に係る撮影補助具１は、下方に伸長させて撮影をする場合に使用するものである。このような撮影手法は、例えば、橋の上から橋脚を撮影する場合など、撮影者よりも下方にある被写体を撮影する場合に使用される。
【００５４】
第二実施形態に係る撮影補助具１には、ストッパ５０が設けられている。ストッパ５０は、スライド部３２の回転筒４０側の端面に当接するように伸縮ポールＰ１のポール部に設置されている。なお、ストッパ５０をポール部に固定するための手段としては、ロック機構を使用して着脱するものなど、周知の手段が使用される。
【００５５】
このようにストッパ５０を設置することにより、伸縮ポールがスライド部３２から抜け落ちることを防止することが可能となり、橋の上から橋脚を撮影する場合などにおいて、カメラが伸縮ポールごと撮影補助具１から落下する恐れがなく、安心して撮影をすることができる。
【００５６】
そして、第二実施形態に係る撮影補助具１の伸縮ポールを回動可能に支持するためには、ネジ３２ｓ及びネジ３３ｓの両方を締めて構わない。第一実施形態に係る撮影補助具１と異なり、三脚部３０が地面に固定されていないためである。つまり、伸縮ポールはスライド部３２ごと回動することになる。このとき、ストッパ５０が伸縮ポールに固定されていたとしても、伸縮ポールごと回動可能である。
【００５７】
さらに、第二実施形態に係る撮影補助具１は、レール上をスライド移動させることで、適正なポジションで撮影することを補助することができる。すなわち、撮影を実施したい場所に図示しない２本のレールが設けられており、その２本のレールの間に撮影補助具１を挟み込むことにより、撮影補助具１をレールに懸架するように設置することができる。その状態で撮影補助具１をレールに対してスライドさせることにより、撮影補助具１を２本のレール上で所望の位置までスライド移動させることができる。このようにすることで、回動動作とスライド移動による動作との組み合わせにより、回転方向だけでなく並進方向も加味した、より自由度の高い撮影を実施することができる。
【００５８】
なお、ストッパ５０は第一実施形態に係る撮影補助具１にも設置することが可能である。この場合においても、ストッパ５０がスライド部３２の回転筒４０側の端面に当接するように、伸縮ポールＰ１のポール部に配設する。第一実施形態に係る撮影補助具１にストッパ５０を設置した場合には、伸縮ポールを掴んで撮影補助具１を持ち上げた場合などに、伸縮ポールがスライド部３２から抜けてしまうことを防止することができる。
【００５９】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００６０】
１              撮影補助具
Ｐ１・・・Ｐｎ  伸縮ポール
１０            雲台
２０            ハンドル
３０            三脚部
４０            回転筒
４１            短筒部
４２            長筒部
５０            ストッパ
【図１】
2020027137.tif 000003
【図２Ａ】
2020027137.tif 000004
【図２Ｂ】
2020027137.tif 000005
【図３】
2020027137.tif 000006
【手続補正書】
【提出日】平成30年10月31日(2018.10.31)
【手続補正１】
【補正対象書類名】特許請求の範囲
【補正対象項目名】全文
【補正方法】変更
【補正の内容】
【特許請求の範囲】
【請求項１】
互いに上下方向に着脱可能な複数の部材からなる伸縮ポールと、
上方に位置する第１筒部と、下方に位置する第２筒部とによって構成される回転筒と、
前記第２筒部が固定される基底部と、
前記基底部に接続される三脚部と、
を備え、
前記第１筒部は、前記伸縮ポールのうち最下段に配設される伸縮ポールの下部に前記第２筒部に対して回動可能に配設される、撮影補助具。
【請求項２】
前記三脚部が、撮影補助具を地面に設置する三本の脚部と、
前記三本の脚部の上端に接続され、内部に前記最下段に配設される伸縮ポールを挿通可能な筒状の部材からなるスライド部と、
前記基底部を前記脚部に接続する支持脚とからなり、
前記回転筒は、前記基底部と前記最下段に配設される伸縮ポールとの間に、前記第１筒部が前記第２筒部に対して回動可能に挿入される、請求項１に記載の撮影補助具。
【請求項３】
前記回転筒は、上方に位置する短筒部と下方に位置する長筒部とからなり、
前記短筒部と前記長筒部とは互いに回動可能に接続されており、
前記短筒部の上面と前記最下段に配設される伸縮ポールの下面とが接続され、
前記長筒部の下面と前記基底部の上面とが接続される、請求項１または２のいずれかに記載の撮影補助具。